(57)【特許請求の範囲】
【請求項１】
タップ巻線を有する電圧調整用変圧器と、配電線の線路電圧を検出する計器用変圧器と、前記計器用変圧器の出力電圧が入力されるように設けられていて入力電圧が整定値よりも高いとき及び低いときにそれぞれタップ下げ指令及びタップ上げ指令を発生する電圧継電器と、前記電圧継電器から与えられるタップ下げ指令またはタップ上げ指令に応じて前記電圧調整用変圧器のタップを切り換えるタップ切換装置とを備えた電圧調整装置において、
前記計器用変圧器により検出されている線路電圧を補正するために外部から与えられる電圧補正指令を受信する受信回路と、
前記受信回路により受信された電圧補正指令に従って前記線路電圧を補正する際に前記計器用変圧器の出力電圧に重畳して前記電圧継電器に入力する必要がある補正電圧を発生して、該補正電圧を前記計器用変圧器から電圧継電器に入力される電圧に重畳する補正電圧発生装置とを具備したことを特徴とする電圧調整装置。
【請求項２】
タップ巻線を有する電圧調整用変圧器と、配電線の線路電圧を検出する計器用変圧器と、前記計器用変圧器の出力電圧が入力されるように設けられていて入力電圧が整定値よりも高いとき及び低いときにそれぞれタップ下げ指令及びタップ上げ指令を発生する電圧継電器と、前記電圧継電器から与えられるタップ下げ指令またはタップ上げ指令に応じて前記電圧調整用変圧器のタップを切り換えるタップ切換装置とを備えた電圧調整装置において、
前記計器用変圧器により検出されている線路電圧を補正するために外部から与えられる電圧補正指令を受信する受信回路と、
前記受信回路により受信された電圧補正指令に従って前記線路電圧を補正する際に前記計器用変圧器の出力電圧に重畳して前記電圧継電器に入力する必要がある補正電圧を発生して、該補正電圧を前記計器用変圧器から電圧継電器に入力される電圧に重畳する補正電圧発生装置とを具備し、
前記補正電圧発生装置は、
前記計器用変圧器により検出された電圧の周波数と位相とを検出する周波数／位相検出回路と、
一次巻線及び二次巻線を有して、二次巻線の誘起電圧が前記計器用変圧器の出力電圧に重畳されて前記電圧継電器に入力されるように、該二次巻線が前記計器用変圧器の二次コイルに対して直列に接続された出力トランスと、
前記受信回路により受信された電圧補正指令と前記周波数／位相検出回路の出力とを入力として前記補正電圧の大きさと、該補正電圧を前記計器用変圧器の出力電圧に重畳させる位相とを演算する補正値演算回路と、
前記補正値演算回路により演算された補正電圧を前記出力トランスの二次巻線に誘起させるために該出力トランスの一次巻線に与える必要がある補正用入力電圧を発生して、該補正用入力電圧を前記出力トランスの一次巻線に与える補正用入力電圧発生回路とを備えていることを特徴とする電圧調整装置。
【発明の詳細な説明】
【０００１】
【発明の属する技術分野】
本発明は、配電系統の各部の電圧を所定の調整値に調整する電圧調整装置に関するものである。
【０００２】
【従来の技術】
配電系統においては、系統で生じる電力損失の低減を図り、電力の品質を高めるために、系統の各部の電圧の最適化を図ることが求められている。そのため、系統の各部の電圧を、中央指令所からの指令により、高い即応性をもって調整することが要求されるようになっている。
【０００３】
配電系統の各部には、タップ巻線を有する電圧調整用変圧器と、系統電圧が一次側に入力される計器用変圧器（ＶＴ）と、該計器用変圧器の二次側に得られる出力電圧を入力として、入力電圧が整定値よりも高いとき及び低いときにそれぞれタップ下げ指令及びタップ上げ指令を発生する電圧継電器（９０リレー）と、該電圧継電器から与えられるタップ下げ指令またはタップ上げ指令に応じて電圧調整用変圧器のタップを切り換える負荷時タップ切換装置とを備えた電圧調整装置が設置されている。
【０００４】
この種の電圧調整装置においては、電圧継電器の本体に整定値を任意に変更するための整定つまみが設けられていて、該整定つまみを操作することにより、整定値を段階的に変更することができるようになっている。
【０００５】
また配電系統に設けられる電圧調整装置においては、配電線に負荷電流が流れたときに線路インピーダンスにより生じる電圧降下を補償する目的で、電圧継電器に線路電圧降下補償器（ＬＤＣ）を設ける。この線路電圧降下補償器は、線路インピーダンスに相似する補償用インピーダンスと、線路電流を検出して線路電流に比例した電流を補償用インピーダンスに流す変流器とを備えていて、該変流器の出力電流により補償用インピーダンスの両端に生じる電圧を補償用電圧として計器用変圧器の出力電圧に重畳して電圧継電器に入力することにより、電圧調整装置の調整値を補正するとともに、負荷電流により生じる線路電圧の降下をも補償する。
【０００６】
また整定つまみにより整定値を変更するようにした電圧継電器に代えて、予め定められたシーケンスプログラムに従って、所定の時間間隔で整定値を変更するようにした電圧継電器が用いられる場合もある。
【０００７】
【発明が解決しようとする課題】
配電系統の各部の電圧の適正化を図るためには、配電系統の中央指令所に設けられたコンピュータと系統の各部に設置された電圧調整装置とを連携させて、系統の電圧状態や負荷状態などに応じて各電圧調整装置に的確かつ迅速に調整動作を行わせることが望ましい。そのためには、各電圧調整装置の調整値（系統電圧の目標値）を中央指令所からの指令による遠隔操作によりタイムリーに変更し得るようにしておくことが望ましい。
【０００８】
ところが現在配電系統に設置されている電圧調整装置は、電圧継電器の整定値の変更を現地でつまみを操作することにより行うか、または予め定められたシーケンスプログラムに従って行うようになっているため、中央指令所からの指令により電圧調整装置の調整値を変更することはできず、中央指令所のコンピータとの連携により調整値をタイムリーに変更することはできないという問題があった。
【０００９】
本発明の目的は、中央指令所からの指令に応じて電圧の調整値を変更することができるようにした電圧調整装置を提供することにある。
【００１０】
【課題を解決するための手段】
本発明は、タップ巻線を有する電圧調整用変圧器と、配電線の線路電圧を検出する計器用変圧器と、該計器用変圧器の出力電圧が入力されるように設けられていて入力電圧が整定値よりも高いとき及び低いときにそれぞれタップ下げ指令及びタップ上げ指令を発生する電圧継電器と、該電圧継電器から与えられるタップ下げ指令またはタップ上げ指令に応じて電圧調整用変圧器のタップを切り換えるタップ切換装置とを備えた電圧調整装置に係わるものである。
【００１１】
本発明が対象とする電圧調整装置は、配電線の電圧を自動的に調整する目的で使用されている負荷時タップ切換変圧器（ＬＲＴ）や、負荷時電圧調整器（ＬＲＡ）など、電圧を調整する目的で配電系統に設置される装置の全てを包含する。本発明においては、計器用変圧器により検出されている線路電圧を補正するために外部から与えられる電圧補正指令を受信する受信回路と、受信回路により受信された電圧補正指令に従って線路電圧を補正する際に計器用変圧器の出力電圧に重畳して電圧継電器に入力する必要がある補正電圧を発生して、該補正電圧を計器用変圧器から電圧継電器に入力される電圧に重畳する補正電圧発生装置とを設けた。
【００１２】
上記補正電圧は、現在の電圧調整装置の調整電圧を所定の電圧とするために必要なだけタップ上げ指令またはタップ下げ指令を電圧継電器から発生させるために計器用変圧器の出力電圧に重畳すべき電圧である。
【００１３】
上記補正電圧発生装置は、例えば、計器用変圧器により検出された電圧の周波数と位相とを検出する周波数／位相検出回路と、一次巻線及び二次巻線を有して、二次巻線の誘起電圧が計器用変圧器の出力電圧に重畳されて電圧継電器に入力されるように、該二次巻線が前記計器用変圧器の二次コイルに対して直列に接続された出力トランスと、受信回路により受信された電圧補正指令と周波数／位相検出回路の出力とを入力として補正電圧の大きさと、該補正電圧を計器用変圧器の出力電圧に重畳させる位相とを演算する補正値演算回路と、補正値演算回路により演算された補正電圧を出力トランスの二次巻線に誘起させるために該出力トランスの一次巻線に与える必要がある補正用入力電圧を発生して、該補正用入力電圧を出力トランスの一次巻線に与える補正用入力電圧発生回路とにより構成できる。
【００１４】
上記電圧補正指令は、電圧調整装置が設置されている箇所の線路電圧を補正することを指示する指令である。この電圧補正指令は、線路電圧の目標値（電圧調整装置の調整値）を与えるものでもよく、線路電圧を目標値に修正するために必要な電圧の補正量（現在の線路電圧と目標の線路電圧との差）を与えるものでもよい。また上記電圧補正指令は線路電圧を目標電圧とするために計器用変圧器の出力電圧に重畳すべき補正電圧を与えるものでもよい。
【００１５】
上記のように、外部から与えられる電圧補正指令に応じて所定の補正電圧を発生させて、該補正電圧を計器用変圧器の出力電圧に重畳して電圧継電器に入力するようにすると、補正電圧の大きさを変化させることにより、電圧継電器に入力される電圧の大きさを変化させることができるため、電圧継電器の整定値を変更することなく、電圧調整装置の調整値（計器用変圧器により検出される線路電圧の目標値）を等価的に変化させることができ、遠隔操作により線路電圧を補正することができる。
【００１６】
従って、本発明によれば、中央指令所からの遠隔操作により電圧調整装置の調整値を変化させることができ、中央指令所のコンピュータと電圧調整装置とを連携させて電圧調整を行わせることができる。
【００１７】
【発明の実施の形態】
図１は本発明に係わる電圧調整装置の要部の構成を示したもので、同図において１ｕ〜１ｗは電源変電所から引き出されたＵ相ないしＷ相の配電線、２はタップ巻線を有する電圧調整用変圧器、３はＵ相の配電線１ｕとＷ相の配電線１ｗとの間に一次コイル３ａが接続されて二次コイル３ｂに線路電圧に比例した出力電圧Ｖ1 を発生する計器用変圧器（ＶＴ）、４は計器用変圧器３の出力電圧Ｖ1 が入力されるように設けられていて入力電圧が整定値よりも高いとき及び低いときにそれぞれタップ下げ指令及びタップ上げ指令を発生する電圧継電器（９０リレー）、５は電圧継電器４から与えられるタップ下げ指令またはタップ上げ指令に応じて電圧調整用変圧器２のタップを切り換えるタップ切換装置である。
【００１８】
本発明に係わる電圧調整装置には、配電系統の中央指令所との通信を行なう通信子局が設けられていて、該通信子局に設けられた送信装置により、計器用変圧器３の出力電圧の情報や、線路電流を検出する図示しない変流器の出力の情報を含む信号が中央指令所に伝送されるようになっている。
【００１９】
図１において６は上記通信子局に設けられて中央指令所から伝送される電圧補正指令を受信する受信回路、７は一次巻線７ａと二次巻線７ｂとを有して一次巻線７ａに計器用変圧器３の出力電圧Ｖ1 が入力された入力トランス、８は受信回路６により受信された電圧補正指令と、入力トランス７の出力電圧とを入力として、電圧補正指令に従って線路電圧を補正する際に計器用変圧器３の出力電圧に重畳して電圧継電器４に入力する必要がある補正電圧Ｖ2 を発生する補正電圧発生装置である。
【００２０】
図示の例では、計器用変圧器３の二次コイル３ｂの一端に入力トランス７の一次コイル７ａの一端が接続され、該一次コイル７ａの他端は補正電圧発生装置８の一方の出力端子に接続されている。また補正電圧発生装置８の他方の出力端子と計器用変圧器３の二次コイル３ｂの他端とが電圧継電器４の入力端子に接続され、計器用変圧器３の出力電圧と補正電圧発生装置８から得られる補正電圧とが重畳された電圧が電圧継電器４に入力されている。
【００２１】
図２に示したように、補正電圧発生装置８は、入力トランス７の出力を入力として線路電圧の周波数と位相とを検出する周波数／位相検出回路９と、一次巻線１０ａ及び二次巻線１０ｂを有して、二次巻線の誘起電圧（補正電圧）Ｖ2 が計器用変圧器３の出力電圧に重畳されて電圧継電器４に入力されるように、二次巻線１０ｂが計器用変圧器の二次コイル３ｂ及び入力トランス７の一次コイル７ａに対して直列に接続された出力トランス１０と、受信回路６により受信された電圧補正指令と周波数／位相検出回路９の出力とを入力として、電圧補正指令に従って線路電圧を補正する際に計器用変圧器３の出力電圧に重畳して電圧継電器４に入力する必要がある補正電圧Ｖ2 の大きさと、該補正電圧を計器用変圧器３の出力電圧に重畳させる位相とを演算する補正値演算回路１１と、補正値演算回路１１により演算された補正電圧Ｖ2 を出力トランスの二次巻線に誘起させるために該出力トランスの一次巻線に与える必要がある補正用入力電圧Ｖ2 ´を発生して、該補正用入力電圧Ｖ2 ´を出力トランス１０の一次巻線１０ａに与える補正用入力電圧発生回路１２とにより構成されている。
【００２２】
図示の電圧継電器４は、現用の電圧調整装置に用いられているものと同様のもので、整定値を変更するための整定つまみを備えており、該整定つまみを操作することにより、整定値を段階的に変更することができるようになっている。本発明においては、電圧継電器４に設けられている整定つまみを適当な位置に固定しておく。また場合によっては、電圧継電器の整定値を一定として、その整定つまみを省略することもできる。
【００２３】
電圧継電器４は、入力される電圧が整定値よりも高いか低いかを判定して、入力電圧が整定値よりも高いとき及び低いときにそれぞれタップ下げ指令及びタップ上げ指令を発生して、これらのタップ切換指令をタップ切換装置５に与える。タップ切換装置５はタップ切換指令に応じて電圧調整用変圧器２のタップを切り換えて線路電圧を調整する。
【００２４】
図１及び図２に示した電圧調整装置において、周波数／位相検出回路９は、計器用変圧器３により検出されている線路電圧ＶL の周波数と特定の位相（例えば線路電圧の零点）とを検出して、検出した周波数と位相とを示す信号を補正値演算回路１１に与える。
【００２５】
図示の例では、計器用変圧器の二次コイル３ｂに対して入力トランス７の一次コイル７ａが直列に接続されているため、一次コイル７ａに生じる電圧と、計器用変圧器３の出力電圧Ｖ1 と補正電圧Ｖ2 とが重畳された電圧が電圧継電器４に入力される。
【００２６】
なお計器用変圧器３の二次コイル３ｂの両端の電圧を周波数／位相検出回路９に入力する構成をとることもできる。その場合には、計器用変圧器３の検出誤差を十分に小さくするために、入力インピーダンスが十分に高いバッファアンプを通して計器用変圧器の二次コイル３ｂの両端の電圧を周波数／位相検出回路９に入力する。
【００２７】
受信回路６は、配電系統に設けられた中央指令所から図示しない通信線を介して伝送される電圧補正指令を受信して補正値演算回路１１に与える。この電圧補正指令は、電圧調整装置が設置されている箇所の線路電圧を補正することを指示する指令で、線路電圧を目標値に修正するために必要な電圧の補正量（現在の線路電圧と目標線路電圧との差）ΔＶを与える。
【００２８】
この電圧補正指令は、例えば８ビットのデジタル信号からなっていて、その最上位の１ビットが補正電圧ΔＶの符号（＋または−）を示し、他の７ビットが線路電圧の補正量を示している。
【００２９】
補正値演算回路１１は、入力された電圧補正指令に従って線路電圧をΔＶだけ補正する際に計器用変圧器３の出力電圧に重畳して電圧継電器４に入力する必要がある補正電圧Ｖ2 を発生する。この補正電圧Ｖ2 は、現在の線路電圧を電圧補正指令により指示された補正量ΔＶだけ補正するために必要なだけタップ上げ指令またはタップ下げ指令を電圧継電器から発生させるために計器用変圧器の出力電圧に重畳すべき電圧である。電圧補正指令が線路電圧をΔＶだけ上昇させることを指示している場合（補正量ΔＶの符号が＋の場合）、補正電圧Ｖ2 は計器用変圧器の出力電圧と逆位相の正弦波電圧となり、電圧補正指令が線路電圧をΔＶだけ下降させることを指示している場合（補正量ΔＶの符号が−の場合）、補正電圧Ｖ2 は計器用変圧器の出力電圧と同位相の正弦波電圧となる。
【００３０】
補正値演算回路１１は、例えば図３に示したように、基準電圧発生部１１ａと、正弦波データ発生部１１ｂと、乗算型のＤ／Ａ変換回路１１ｃとにより構成される。
【００３１】
基準電圧発生部１１ａは、Ｄ／Ａコンバータからなっていて、受信回路６が受信した電圧補正指令の内の下位の７ビットをアナグロ信号に変換して、線路電圧の補正量ΔＶを与えるための直流電圧を基準電圧として出力する。
【００３２】
また周波数／位相検出回路９は、線路電圧が負の半サイクルから正の半サイクルに移行する際に生じる零点を検出して該零点で同期パルスを発生するとともに、各同期パルスの発生時刻から次の同期パルスの発生時刻までの間に一定の個数の正弦波形発生用基準クロックパルスを等時間間隔で（後記するＲＯＭから正弦波形データを読みだすために必要なサンプリング周期で）発生する。
【００３３】
受信回路が受信した電圧補正指令の最上位の１ビットは周波数／位相検出回路９の出力とともに正弦波データ発生部１１ｂに与えられる。正弦波データ発生部１１ｂは、波高値が１の基本正弦波形の各部の瞬時値を与える一連のサンプリング値を正弦波データとして記憶したＲＯＭを備えていて、周波数／位相検出回路９から同期パルスが与えられる毎にＲＯＭからのデータの読み出しを開始し、周波数／位相検出回路９から正弦波形発生用基準クロックパルスが与えられる毎に、ＲＯＭに記憶された正弦波形の一連のサンプリング値を順次読み出すことにより、周波数／位相検出回路９により検出された線路電圧の周波数に等しい周波数と、電圧補正指令の最上位の１ビットにより指示された位相とを有する正弦波形を与える正弦波データを出力する。
【００３４】
即ち、正弦波データ発生部１１ｂは、電圧補正指令の最上位の１ビットにより、補正電圧の符号が＋であると指示されている場合には、周波数／位相検出回路９により検出された線路電圧と周波数及び位相が等しい正弦波形を与える正弦波データをＲＯＭから読み出し、電圧補正指令の最上位の１ビットにより、補正電圧の符号が−であると指示されている場合には、周波数／位相検出回路９により検出された線路電圧と周波数が等しく、位相が１８０度異なる（逆位相の）正弦波形を与える正弦波データをＲＯＭから読み出す。
【００３５】
正弦波データ発生部１１ｂが出力する正弦波データは、基準電圧発生部１１ａが出力する基準電圧とともに乗算型Ｄ／Ａ変換回路１１ｃに与えられる。乗算型Ｄ／Ａ変換回路１１ｃは、正弦波データ発生部１１ｂから与えられる正弦波データの各サンプリング値に補正電圧の基準電圧値を乗算して、補正演算値信号を出力する。この補正演算値信号は、電圧補正指令により指示された補正量だけ線路電圧を補正するために、計器用変圧器の出力電圧に重畳する必要がある正弦波形の補正電圧Ｖ2 を出力トランス１０から出力させるために該出力トランスに入力する必要がある補正用入力電圧Ｖ2 ´を与えるための信号（アナグログ信号）で、補正用入力電圧Ｖ2 ´の正弦波形の各部の瞬時値を与える電圧が時系列的に現れる信号である。
【００３６】
補正値演算回路１１から出力された補正演算値信号は補正用入力電圧発生回路１２に与えられる。補正用入力電圧発生回路１２は、補正演算値信号を増幅する増幅回路と該増幅回路の出力から高調波分を除去して線路電圧の周波数に等しい周波数の成分のみを取り出すローパスフィルタとからなっていて、補正演算値信号を正弦波形のアナログ電圧に変換して、該アナログ電圧を補正用入力電圧として出力トランス１０の一次巻線１０ａに与える。これにより出力トランス１０の二次巻線に電圧補正指令により指示された補正量だけ線路電圧を修正するために、計器用変圧器３の出力電圧に重畳する補正電圧Ｖ2 が発生する。この補正電圧は計器用変圧器３により検出されている線路電圧と同相または逆相の電圧で、計器用変圧器３の出力電圧に重畳されて電圧継電器４に入力される。
【００３７】
電圧継電器４は、計器用変圧器３の出力電圧Ｖ1 と補正電圧Ｖ2 とが重畳された電圧を入力として、入力電圧が整定値よりも低いか高いかに応じてタップ上げ指令またはタップ下げ指令を発生し、これらのタップ切換指令によりタップの切換が行なわれて、線路電圧が調整される。
【００３８】
上記のように、外部から与えられる電圧補正指令に応じて所定の補正電圧Ｖ2 を発生させて、該補正電圧を計器用変圧器３の出力電圧Ｖ1 に重畳して電圧継電器に入力するようにすると、補正電圧Ｖ2 の大きさを変化させることにより、電圧継電器４に入力される電圧の大きさを変化させることができるため、電圧継電器４の整定値を変更することなく、電圧調整装置の調整値（計器用変圧器により検出される線路電圧の目標値）を等価的に変化させることができる。
【００３９】
ここで、簡単にするために計器用変圧器の巻数比を１として、電圧継電器４の整定値が例えば１１０［Ｖ］であるとする。また計器用変圧器３が検出している線路電圧が１１０［Ｖ］であるとし、電圧補正指令が与えられていないとする。このとき補正電圧Ｖ2 は零となるため、電圧継電器４に入力される電圧は１１０［Ｖ］のままであり、電圧継電器４はタップ切換指令を発生しない。従って、線路電圧は１１０［Ｖ］のままである。
【００４０】
この状態で、線路電圧を５［Ｖ］下降させることを指令する電圧補正指令が与えられたとする。このとき出力トランス１０の二次巻線に計器用変圧器３の出力電圧と同位相の５［Ｖ］の補正電圧Ｖ2 が誘起するため、電圧継電器４には１１５［Ｖ］の電圧が入力される。そのため、電圧継電器４は線路電圧が上昇していると判断してタップ下げ指令を出力し、線路電圧を下降させる。
【００４１】
また線路電圧を５［Ｖ］上昇させることを指令する電圧補正指令が与えられたときには、出力トランス１０の二次巻線に計器用変圧器３の出力電圧と逆位相の５［Ｖ］の補正電圧Ｖ2 が誘起するため、電圧継電器４には１０５［Ｖ］の電圧が入力される。そのため、電圧継電器４は線路電圧が下降していると判断してタップ上げ指令を出力し、線路電圧を上昇させる。
【００４２】
また上記のように、計器用変圧器の出力電圧と補正電圧とが重畳された電圧を電圧継電器に入力するようにすると、補正電圧Ｖ2 の大きさを変化させることにより、電圧調整装置の調整値を変化させることができる。
【００４３】
このように、本発明によれば、中央指令所からの遠隔操作により電圧調整装置の調整値を変化させることができ、中央指令所のコンピュータと電圧調整装置とを連携させて電圧調整を行わせることができる。
【００４４】
図１及び図２に示した例では、計器用変圧器３の二次コイル３ｂを通して流れる電流が入力トランス７の一次コイル７ａを流れ、この電流と入力トランスの一次コイル７ａのリアクタンスとにより生じる電圧が電圧継電器４に入力される電圧に重畳されるが、計器用変圧器の二次側を流れる電流は僅かであるため、入力トランス７の一次コイルの巻数を十分に少なくしておけば、入力トランス７の一次コイルの両端に生じる電圧を無視し得る程度に低くすることができる。入力トランス７の一次コイル７ａの両端の電圧を無視できない場合には、該一次コイル７ａの両端の電圧を考慮して補正電圧Ｖ2 を発生させる。
【００４５】
上記の例では、電圧補正指令により、計器用変圧器により検出されている線路電圧の補正量ΔＶを指示するようにしたが、該電圧補正指令により、補正後の線路電圧値（線路電圧の目標値）を指示するようにしてもよく、電圧補正指令により、出力トランス１０から出力させる補正電圧値そのものを指示することにより、線路電圧の補正量を間接的に指示するようにしてもよい。
【００４６】
電圧補正指令により線路電圧の目標値を指令する場合には、現在の線路電圧の目標値を新たな目標値に変更するために必要な補正電圧の大きさを補正電圧発生装置の内部で演算するようにすればよい。
【００４７】
上記の例では、ＲＯＭから正弦波形のサンプリング値を読み出すことにより発生させた正弦波データに電圧の補正量に相当する基準電圧を乗算することにより正弦波の各部の瞬時値を与える一連の補正演算値信号を出力させて、該補正演算値信号を増幅することにより補正用入力電圧を発生させるようにしているが、補正用入力電圧を発生させる方法は上記の例に限定されるものではなく、インバータなどを用いて、計器用変圧器の出力電圧と周波数が等しく、該計器用変圧器の出力電圧に対して所定の位相関係を有し、電圧補正指令の指示内容に応じた波高値を有する正弦波形の補正用入力電圧を発生させるようにしてもよい。
【００４８】
上記の例では、もっぱら電圧補正指令により与えられる補正量だけ線路電圧を補正するように補正電圧Ｖ2 を発生させているが、線路電流を検出する変流器を設けて、該変流器により検出された線路電流と線路インピーダンスに相似する補償用インピーダンスとに基づいて、従来から用いられている線路電圧降下補償器（ＬＤＣ）と同じ考え方で、負荷電流による線路電圧降下を補償するために必要な補正電圧の大きさと位相とを求めて、電圧補正指令に基づく線路電圧の補正と負荷電流による線路電圧降下の補償との双方を行なうように、計器用変圧器の出力電圧に対して任意の位相関係を有する補正電圧を発生させるようにすることもできる。このように構成すれば、現在電圧調整装置に設けられているＬＤＣを省略することができる。
【００４９】
上記の補正電圧発生装置８は、電圧継電器の内部に組み込むようにしてもよく、電圧継電器の外部に設けるようにしてもよい。電圧継電器の外部に設けるようにすれば、既設の電圧調整装置にも容易に適用することができる。
【００５０】
【発明の効果】
以上のように、本発明によれば、外部から与えられる電圧補正指令に応じて所定の補正電圧を発生させて、該補正電圧を計器用変圧器の出力電圧に重畳して電圧継電器に入力するようにしたので、電圧継電器の整定値を変更することなく、電圧調整装置の調整値を等価的に変化させることができ、補正電圧の大きさを変化させることにより線路電圧を補正することができる。
【００５１】
従って本発明によれば、中央指令所からの遠隔操作により電圧調整装置の調整値を変化させることができ、中央指令所のコンピュータと電圧調整装置とを連携させて電圧調整を行わせることができる利点がある。
【図面の簡単な説明】
【図１】本発明に係わる電圧調整装置の構成例を概略的に示した構成図である。
【図２】図１の電圧調整装置の各部の内特に補正電圧発生装置の部分の構成をより詳細に示したブロック図である。
【図３】図２に示した補正値演算部の構成例を示したブロック図である。
【符号の説明】
１ｕ〜１ｗ  配電線
２  電圧調整用変圧器
３  計器用変圧器
４  電圧継電器
５  タップ切換装置
６  受信回路
７  入力トランス
８  補正電圧発生装置
９  周波数／位相検出回路
１０  出力トランス
１１  補正値演算回路
１２  補正用入力電圧発生回路
【図１】
0004306826.tif 000002
【図２】
0004306826.tif 000003
【図３】
0004306826.tif 000004